(57)【要約】      （修正有）【課題】建物の外周辺に所定の間隔を存して所要の高さの遮蔽構造物を直立して配置し、遮蔽構造物の機能や効能を任意に特定可能として、建物外部の緑化やアートの設置による美観の向上や、延焼防止のための遮蔽物の存在或は消火栓の付設、建築物からの落下物の飛散防止等の機能や効能を建物毎に簡便且任意に付設し、或は変更し得るようにすることを課題とする。【解決手段】建物の外周を遮蔽する遮蔽構造物をベース構造体とパネル構造体とで構成し、ベース構造体は、所定の高さを有する壁面状のグリッド構造物とし、建物の外周から所定の間隔を存して直立して配置し、建物の外周の少なくとも一部を遮蔽しており、パネル構造体は遮蔽構造物の機能若しくは効能を特定する構造物からなり、パネル構造体をベース構造体に着脱自在に付設し結合することにより、遮蔽構造物の機能、効能、用途を特定可能としたことを特徴とする。【選択図】図１
2017160630.tif 000002
【特許請求の範囲】
【請求項１】
建物の外周を遮蔽する遮蔽構造物をベース構造体とパネル構造体とで構成し、ベース構造体は、所定の高さを有する壁面状のグリッド構造物とし、建物の外周から所定の間隔を存して直立して配置し、建物の外周の少なくとも一部を遮蔽しており、パネル構造体は遮蔽構造物の機能若しくは効能を特定する構造物からなり、パネル構造体をベース構造体に着脱自在に付設し結合することにより、遮蔽構造物の機能、効能、用途を特定可能としたことを特徴とする建物の外周を遮蔽する構造物。
【請求項２】
ベース構造体は、枠材を格子状に連結したグリッド構造物からなり、独立して立設し、若しくは連結手段を介して建物に連結して立設される構造体として構成したことを特徴とする請求項１記載の建物の外周を遮蔽する構造物。
【請求項３】
パネル構造体は、前記ベース構造体に着脱自在に付設して連結されるパネル状の構造物であり、パネル構造体の構造、材質、形状、デザイン等により遮蔽構造物の機能・効能が特定されることを特徴とする請求項１記載の建物の外周を遮蔽する構造物。
【請求項４】
パネル構造体が、街の防犯・防災の機能を特定する構造を有していることを特徴とする請求項２記載の建物の外周を遮蔽する構造物。
【請求項５】
パネル構造体が、街の環境浄化・緑化の機能を特定する構造を有していることを特徴とする請求項２記載の建物の外周を遮蔽する構造物。
【請求項６】
パネル構造体が、街の美化・アートの機能を特定する構造を有していることを特徴とする請求項２記載の建物の外周を遮蔽する構造物。
【請求項７】
パネル構造体が、街の情報・サインの機能を特定する構造を有していることを特徴とする請求項２記載の建物の外周を遮蔽する構造物。
【発明の詳細な説明】
【技術分野】
【０００１】
本発明は、建物の外面を遮蔽する構造物に関し、特に街の景観の改善、防災、防犯、街の緑化、街の美観向上等の機能を持たせるようにした構造物に関する。
【背景技術】
【０００２】
従来、建物の外面に塀や垣根を設置して敷地を区画すると共に、建物を外部から遮蔽することは広く行われている。しかしながら、従来の塀や垣根は、基本的に塀や垣根で区画されている敷地や建物内部における生活保護や安全を目的とするものであり、建物外部の街の景観の改善や美観向上或は防災、防犯を目的するものではなかった。又、従来の塀や垣根は板塀、石垣、生け垣等から構成される恒久的な構造物であり、設置後に新たな機能を追加したり、変更するための改造や再設置は容易ではなかった。
【０００３】
集合住宅や、個人の住宅は、建物の周辺にゴミストッカー、エアコン室外機、各種メータ等の諸設備や自転車置き場等が乱雑に置かれ、街路の景観を阻害しており、これらの街路の景観を阻害するものを遮蔽し、街の景観を改善する必要があった。又、建物の外部に緑化やアートを施して、街の美観を向上させ、街区の美化を図る必要もあった。更に、大規模地震等の災害が発生した場合には、火災による被災を回避するため、延焼防止のための遮蔽物の存在や、初期消火を助けるための消火栓の存在も重要とされる。高層建築物に関しては、地震発生時の揺れに伴う室内什器や窓ガラス等の落下物が、周辺に飛散しないような遮蔽構造物の存在が災害の拡散防止に有益である。
【発明の概要】
【発明が解決しようとする課題】
【０００４】
従来公知の塀や垣根は、ある程度建物周辺の諸設備や自転車置き場等を遮蔽し、景観の確保にある程度は寄与しているが、建物外部の緑化やアートの設置による美観の向上や、延焼防止のための遮蔽物の存在或は消火栓の付設、更には高層建築物からの落下物の拡散防止等には、十分ではなかった。特に、建物毎にこれらの機能や効能を簡便に付設し、或は変更することはきわめて困難であった。  
【０００５】
本発明は、建物の外周辺に所定の間隔を存して所要の高さの遮蔽構造物を直立して配置し、遮蔽構造物の機能や効能を任意に特定可能として、建物外部の緑化やアートの設置による美観の向上や、延焼防止のための遮蔽物の存在或は消火栓の付設、建築物からの落下物の飛散防止等の機能や効能を建物毎に簡便且任意に付設し、或は変更し得るようにすることを課題とする。
【課題を解決するための手段】
【０００６】
上記課題を解決するために本発明が採った手段は、建物の外周を遮蔽する遮蔽構造物をベース構造体とパネル構造体とで構成し、ベース構造体は、所定の高さを有する壁面状のグリッド構造物とし、建物の外周から所定の間隔を存して直立して配置し、建物の外周の少なくとも一部を遮蔽しており、パネル構造体は遮蔽構造物の機能若しくは効能を特定する構造物からなり、パネル構造体をベース構造体に着脱自在に付設し結合することにより、遮蔽構造物の機能、効能、用途を特定可能としたことを特徴とする。又、パネル構造体を必要に応じて変更することにより、遮蔽構造物の機能、効能、用途を容易に変更可能とする。
【０００７】
ベース構造体は、枠材を格子状に連結したグリッド構造物からなり、独立して立設する構造体、若しくは連結手段を介して建物に連結して立設される構造体として構成される。枠材の材質及び格子の形態、サイズは特に限定されない。
【０００８】
パネル構造体は、前記ベース構造体に着脱自在に付設して連結されるパネル状の構造物であり、パネル構造体の構造、材質、形状、デザイン等により機能・効能が特定される。
【０００９】
パネル構造体を壁面構造とすることにより、外部からの視認を抑制して、防犯効果をもたらすと共に、建物周辺の種々の存在物を隠蔽し、これらの存在物により街の景観が阻害されるのを回避することが可能となる。又、パネル構造体に照明や不審者検知センサー等を設置することにより、防犯の機能を果たすことが可能となる。
【００１０】
パネル構造体を耐火性の材質とし、耐火性を保持させることにより、防火壁の機能を持たせ、火災の延焼防止やその削減効果を果たしうる。又、パネル構造体に消火栓を設置することにより、初期消火の機能や非常時の給水機能を有せしめ、非常時以外では、散水栓としての用途に利用することが可能となる。
【００１１】
パネル構造体に絵画、デザイン、広告媒体、植栽等を施し、ベース構造体に付設すれば、街の美観・景観の向上機能を達成しうる。
【００１２】
パネル構造体に開閉自在なダンパーを設けて、震災発生時に該ダンパーを閉止することにより建物の外周面を閉止し、建物からの落下物が周辺への飛散するのを防止して、落下物による災害を回避或は抑制することが可能となる。ダンパーは通常は開放した状態とすることにより、建物からの視界が妨げられるのを回避し、建物からの景観を確保可能とすると共に、震災発生時には震度を感知するセンサーで、ダンパーを自動的に閉止する。
【発明の効果】
【００１３】
本発明は、建物の外周を遮蔽する遮蔽構造物をベース構造体とパネル構造体とで構成し、パネル構造体をベース構造体に着脱自在に付設し、パネル構造体に設けられる構造、材質、形状、デザイン等により遮蔽構造物の機能、効果を特定して、街の景観の改善、防災、防犯、街の緑化、街の美観向上等の機能、効能を果たすと共に、パネル構造体を取り替えることにより、これらの機能、効果を容易に変更することが可能となる。
【図面の簡単な説明】
【００１４】
【図１】この発明を適用した低層建物の外観斜視図
【図２】同低層建物の立面図
【図３】同低層建物の平面図
【図４】同低層建物の遮蔽構造物を縦断した立面図
【図５】この発明を高層建物に適用した例を示す図
【図６】この発明の適用範囲を示す説明図
【図７】ベース構造体とパネル構造体の基本的な構造を示す斜視図
【図８】延焼防止機能を説明する図
【図９】防犯機能を説明する図
【図１０】パネル構造体の種々の例を示す説明図
【発明を実施するための形態】
【００１５】
以下、本発明の実施の形態を図１〜図１０に基づいて説明する。
【００１６】
この発明は、図６に示すように高さ３ｍ程度の低層建物Ａから高さ６０ｍを超える高層建物Ｂのいずれの高さの建物についても、同様に適用できるものであり、建物(Ａ)，(Ｂ)の外周に所定の間隔(Ｄ)を存してこの発明にかかる建物の外面を遮蔽する遮蔽構造物(Ｃ)が設けられる。該建物の外面を遮蔽する遮蔽構造物(Ｃ)は、建物の外周に好ましくは恒久的に立設されるベース構造体と遮蔽構造物(Ｃ)の機能、効果を特定するパネル構造体とから構成され、パネル構造体はベース構造体に着脱自在に取り付けられ、遮蔽構造物(Ｃ)の機能、効果を任意に変更可能としている。
【００１７】
図１〜４を参照して、２〜３階建ての低層建物(Ａ)の外周に間隔(Ｄ)を存して遮蔽構造物(Ｃ)が配置される。図示の実施例では、遮蔽構造物(Ｃ)は、建物の敷地境界線上に庭を周囲して設置さ、庭の部分が間隔(Ｄ)となっている。遮蔽構造物(Ｃ)により、建物が外部から遮蔽されるため、建物の老朽化による汚れや破損等が隠蔽されると共に、建物の外周部に存在するゴミストッカー、エアコン室外機、各種メータ等の諸設備や自転車置き場等を外部から隠蔽し、街の景観が阻害されるのを回避する。遮蔽構造物(Ｃ)は、独立して立設され自立した構造物として構成され、適宜出入りのための開口(Ｅ)が設けられる。
【００１８】
図５は、高さ６０ｍの高層建物であり、高層建物(Ｂ)の周囲にこの発明にかかる遮蔽構造物(Ｃ)が設置される。高層建物(Ｂ)と遮蔽構造物(Ｃ)との間には所要の間隔(Ｄ)が存在する。高層建物Ｂと遮蔽構造物(Ｃ)とは、好ましくは適宜の連結手段により連結され、遮蔽構造物(Ｃ)の安定した立設状態が図られている。図示の実施例においては、高層建物(Ｂ)と遮蔽構造物(Ｃ)は、ほぼ同じ高さとなっているが、これに限られるものではない。又、遮蔽構造物(Ｃ)には、必要に応じて適宜開放部(Ｆ)が設けられる。
【００１９】
図７を参照して、遮蔽構造物(Ｃ)の基本的な構成を説明する。遮蔽構造物(Ｃ)は、ベース構造体(１)とパネル構造体(２)とから構成される。ベース構造体(１)は、枠材(３)を格子状に結合したグリッド構造を有する。格子状の形状、サイズ等は特に限定されない。又、枠材の構造、材質、寸法等も特に限定されない。パネル構造体(２)は、ベース構造体(１)に適宜の手段、構造で結合可能とされ、任意に取り替えることが出来る。パネル構造体(２)は、遮蔽構造物(Ｃ)の機能、効果を特定するものであり、その構成、形状、デザイン、色彩は、後述するように多岐に亘っている。
【００２０】
ベース構造体(１)は、遮蔽構造物のベースとなる構造体であり、所定の高さを有した構造として構成され、必要に応じて自立若しくは建物に連結される。ベース構造体(１)は、所要の期間安定した状態である必要があるため、好ましくは、耐久性があり、かつ所要の強度を有する恒久的な構造物として設営される。ベース構造体(１)には、パネル構造体(２)を結合するための所要の手段、構造が設けられるが、特に限定されるものではなく、パネル構造体(２)の構造、形状等に応じて適宜設定される。
【００２１】
パネル構造体(２)は、ベース構造体(１)の外面に取り付けられるパネル状の構造体であり、図１０に示すようにその用途、機能に応じて種々の物が用意される。図１０は、個々のパネル構造体をリストした表であり、実際には個々のパネルが個別に用意され、ベース構造体に結合される。図１０の表を参照して、パネル構造体(２)は、街の防犯・防災のためのパネル群、街の環境浄化・緑化のためのパネル群、街の美化・アートのためのパネル群、街の情報・サインのためのパネル群等からなる。尚、これらのパネルは単に例を示したに過ぎず、これらに限定されるものではない。
【００２２】
図１０を参照しつつ、個々のパネルについて説明する。表の左から１列目のパネルは、街の防犯・防災のためのパネル群であって、１列目上のパネルは、監視システムのためのパネルであり、防犯カメラが取り付けられており、好ましくは、人感知センサーと組み合わせて自動的に作動するようにする。防犯カメラの代わりに若しくは併設して、照明手段を取り付けても良い。１列目中のパネルは、耐火ダンパーからなり、常時は開放状態にあり、所定以上の震度を検知して自動的の閉止する。かかる耐火ダンパーを高層建物Ｂに取り付けることにより、常時は、窓からの視界を確保しつつ、地震発生時には、ダンパーを閉止し建物からの什器やガラス等の落下物が遮蔽構造物(Ｃ)の外周に飛散するのを防止することが出来る。１列目下のパネルは、非常時の消火栓や飲料水を提供するための給水手段が設けられている。
【００２３】
図８は、パネル構造体(２)を耐火パネルとしたものであり、これにより火災発生時の延焼を遮蔽構造物で遮断し、延焼の防止、抑制を図ることが出来る。図９は、人感知センサーと組み合わせた照明手段を備えたパネル構造体を設置した状態を示し、防犯効果の向上を図ることが出来る。
【００２４】
図１０の表の左から２列目のパネルは街の環境浄化・緑化のためのパネル群であり、２列目上のパネルは、植裁を設けたパネルであり、街の緑化を図ることが出来る。２列目中のパネルは木製のパネルであり、遮へい構造物(Ｃ)の内部を外部から遮蔽し、建物の老朽化や汚損或は建物の外周部に存在するゴミストッカー、エアコン室外機、各種メータ等の諸設備や自転車置き場等を外部から隠蔽し、街の景観が阻害されるのを回避すると共に、居住者のプライベートな活動を隠すことが出来る。２列目下のパネルは、ゴミ収集美化のためのパネルであって、開閉自在な蓋体を備えており、内側に集積されたゴミ袋を蓋の開閉のより容易に取り出すことが出来ると共に、通常は内側のゴミ袋を隠すことが出来る。
【００２５】
図１０の表の左から３列目上のパネルは、街の美化・アートのためのパネル群であり、３列目上のパネルはアートボード、中のパネルは左官パネル、下のパネルは石貼パネルであり、遮蔽構造物Ｃに美的な効果を持たせるようにして、街の美化や美術的な鑑賞を道行く人々の与えることが可能となる。
【００２６】
図１０の表の左から４列目のパネルは、街の情報・サインを提供するためのパネルであり、４列目上は、サイネージパネル、広告媒体、中はサインパネル、下は有機ＥＬ発光体であり、必要の応じ適宜選択して使用される。
【００２７】
これらの各種パネル構造体(２)は、適宜選択し組み合わされてベース構造体(１)に取り付けられる。取り付けられたパネル構造体(２)の構造、デザイン、機能により、遮蔽構造物(Ｃ)の機能、効果が特定される。パネル構造体(２)の選択、組合せにより遮蔽構造物(Ｃ)の機能、効果を個々の建物毎に選択して特定することが可能となる。又、必要に応じてパネル構造体をベース構造型(１)から取外し、別のパネル構造体と交換することも可能であり、これにより遮蔽構造体(Ｃ)の機能、効果を任意に変更することが可能となる。
【符号の説明】
【００２８】
(Ａ)低層建物
(Ｂ)高層建物
(Ｃ)建物の外面の遮蔽構造物
(Ｄ)間隔
(Ｅ)開口
(Ｆ)開放部
(１)ベース構造体
(２)パネル構造体
(３)枠体
【図１】
2017160630.tif 000003
【図２】
2017160630.tif 000004
【図３】
2017160630.tif 000005
【図４】
2017160630.tif 000006
【図５】
2017160630.tif 000007
【図６】
2017160630.tif 000008
【図７】
2017160630.tif 000009
【図８】
2017160630.tif 000010
【図９】
2017160630.tif 000011
【図１０】
2017160630.tif 000012